(57)【要約】      （修正有）【課題】魚介類の負圧缶のタブを，小さな力で老弱男女誰にでも容易に引き起こしが出来，安全に開口することが出来る新規の缶蓋を提供する。【解決手段】タブ先端突出部と加締部１４との長さ領域を最短距離に形成し，蓋板の加締部１４後方に直線状折り曲げ用切れ目線１７を形成し，タブ２の引き起こしと，開口部前部１１ｂの先端部１１ａの缶内への折り込みが，従来のものよりも力が半分以下で出来るようにする。【選択図】図２
2013252896.tif 000002
【特許請求の範囲】
【請求項１】
蓋板（１２）の開口部先端部（１１ａ）の上面に折り曲げ可能な取付片（２０）を介して取り付けたタブ（２）を，タブ後部の操作部（２１）を軽く引き起こし，取付片（２０）を支点として回動させ最大の圧力が集中したタブ先端突出部（２５）で，切れ目線（１０）の破断部（１０ｄ）を初期切断し，引き続き操作部（２１）を引き起こし，蓋板（１２）の加締部（１４）後部に形成された折り曲げ用切れ目線（１７）を介して，開口部先端部（１１ａ）を缶本体内に折り込み，次いで，操作部（２１）を引き上げ開口部の全てを切断してフルオ−プンに開口を完了する缶蓋において，
タブ操作部（２１）を軽く引き起こす事が出来，且つ，タブ先端突出部（２５）に強力な押圧力が集中すべく，タブ先端突出部（２５）の押圧部（２２）に隣接して加締部（１４）を形成し，加締部（１４）とタブ先端突出部（２５）との長さ領域の寸法を，機能上最小限短い長さに形成したことを特徴とする缶蓋。
【請求項２】
請求項１に記載の缶蓋において，前記タブ先端突出部（２５）と加締部１４との長さ寸法が短いため，操作部１２を引き起こしたとき，タブ側基端部２０ｅが蓋板１２から浮き上がることの無いように，また，開口部前部１１ｂの先端部１１ａを缶本体内に容易に折り込むべく，タブ側基端部２０ｅを蓋板側基端部２０ｂよりも後方の位置に形成したことを特徴とする缶蓋。
【請求項３】
請求項１及び請求項２の何れかに記載の缶蓋において，前記タブ（２）の操作部（２１）を引き起こし初期切断後，僅かな力で開口部先端部（１１ａ）を所定の位置から缶内に折り込むことが出来るように，蓋板（１２）の加締部（１４）の後方に，直線状の折り曲げ用の切れ目線（１７）を形成したことを特徴とする缶蓋。
【請求項４】
請求項１乃至請求項３の何れかに記載の缶蓋において，タブ（２）の操作部（２１）を引き上げ，缶本体内から開口部前部（１１ｂ）と先端部（１１ａ）を引き上げるとき，開口部前部（１１ｂ）に引き上げ力が集中すべく，開口部（１１）と小さな面積の開口部前部（１１ｂ）との間を仕切る折り曲げ溝（１６）を形成したことを特徴とする缶蓋。
【発明の詳細な説明】
【技術分野】
【０００１】  本発明は，魚介及び果実等その他のフルオ−プン缶易開封式（イ−ジ−オ−プンエンド）に関するものである。
【背景技術】
【０００２】  従来，魚介，果実等その他の缶の缶蓋は，タブ機構による易開封な缶蓋として構成されている。【０００３】  フルオ−プン缶のイ−ジ−オ−プンエンドは，巻き締めカ−ル部の内周縁部近くにエンドレス状に切れ目線が刻印されている。この切れ目線の真上にタブの中心線の延長上にある先端部が位置するようにタブが取り付けられており，タブの後方操作部のリング部を引き起こすことにより，タブのタブ固着部を支点としてタブ先端が下方に押し下げられ，タブ先端の真下に設けられたエンドレス状の切れ目線がタブ先端によって切断され，缶本体内に折り込まれる。次いで，垂直に引き起こされたタブのリング部に指を差し入れ，親指を缶の蓋に当て引き上げることにより，蓋板上のエンドレス状の切れ目線は順次引き裂かれてフルオ−プン状に開封されるものである。
【発明の開示】
【発明が解決しようとする課題】
【０００４】  ところで，フルオ−プ方式の問題点は，開口片を形成する切れ目線を初期切断するためにタブが引き起こされて回動する際，指先を蓋板とタブの操作部下部に差し込むための遊びが無く，丁度蓋板に密着した板バネを引き起こすことに似ており，タブの操作部の下部に爪先を入れてタブを引き起こすには，人により，大きな力の負担で，特に幼児，高齢者には開口が出来ないとゆう点にある。本来望まれているバリアフリ−，つまり誰でも様々な方法で簡単に指先で開口することが出来るとゆう域に達していないのが現状である。【０００５】  本発明は，このような事情に鑑みなされたものであり，その目的は，タブをより小さな力で老弱男女誰でも簡単に引き起こすことが出来，かつ，所定の大きさに容易に開口することが出来るユニバ−サルデザインの缶蓋を提供することにある。
【課題を解決するための手段】
【０００６】  上記の目的を達成するため，本発明の缶蓋は，次のように構成したものである。
請求項１に記載の発明は，蓋板（１２）の開口部先端部（１１ａ）の上面に折り曲げ可能な取付片（２０）を介して取り付けたタブ（２）を，タブ後部の操作部（２１）を軽く引き起こし，取付片（２０）を支点として回動させ，最大の圧力が集中したタブ先端突出部（２５）で，切れめ線（１０）の破断部（１０ｄ）を初期切断し，引き続き操作部（２１）を引き起こし，蓋板（１２）の加締部（１４）後部に形成された折り曲げ用切れ目線（１７）を介して，開口部先端部（１１ａ）を缶本体内に折り込み，次いで，操作部（２１）を引き上げ開口部の全てを切断してフルオ−プンに開口を完了する缶蓋において，
タブ操作部（２１）を軽く引き起こすことが出来，且つ，タブ先端突出部（２５）に強力な押圧力が集中すべく，タブ先端突出部（２５）の押圧部（２２）に隣接して加締部（１４）を形成し，加締部（１４）とタブ先端突出部（２５）との長さ領域の寸法を，機能上最小限短い長さに形成したことを特徴とするものである。【０００７】  また，前記タブ先端突出部２５と加締部１４との長さ寸法が短いため，操作部２１を引き起こしたとき，タブ側基端部２０ｅが蓋板１２から浮き上がることの無いように，また，開口部前部１１ｂの先端部１１ａを缶本体内に容易に折り込むべく，タブ側基端部２０ｅを蓋板側基端部２０ｂよりも後方の位置に形成することが好ましい（請求項２）。【０００８】  また，前記タブ（２）の操作部（２１）を引き起こし初期切断後，僅かな力で開口部先端部（１１ａ）を所定の位置から缶内に折り込むことが出来るように，蓋板（１２）の加締部（１４）の後方に，直線状の折り曲げ用の切れ目線（１７）を形成することが好ましい（請求項３）。【０００９】  また，タブ（２）の操作部（２１）を引き上げ，缶本体内から開口部前部（１１ｂ）と先端部（１１ａ）を引き上げるとき，開口部前部（１１ｂ）に引き上げ力が集中すべく，開口部（１１）と小さな面積の開口部前部（１１ｂ）との間を仕切る折り曲げ溝（１６）を形成することが好ましい（請求項４）。【００１０】  このように，本発明の缶蓋の開口の特徴として，加締部（１４）とタブ先端突出部（２５）の間の間隔が非常に短く出来ているため，タブの引き起こしが従来のものよりも軽く，僅かに引き起こされても先端突出部（２５）にはそのまま伝わり下方に押し下げられ，又，初期切断された後，加締部後部の折り曲げ用切れ目線（１７）を介して容易に開口部先端部（１１ａ）を缶内に折り込むことが出来，この三つの特徴が３位１体となって構成されている。
従って，この三つの機能が相互に関連し合うことにより，小さな力でバリアフリ−に缶蓋を開口することが出来る。
【発明の効果】
【００１１】  以上説明したように本発明によれば，次のような優れた効果を奏する。
（１）請求項１の発明によれば，蓋板側基端部とタブ先端突出部の長さ領域が極短いため，タブの引き起こしが軽く，また，より大きな力が先端に集中するため，誰にでも容易に開口することが出来る。
（２）請求項３の発明によれば，加締部の後部に開口部先端部の折り曲げ用切れ目線を設けたので，初期切断後，開口部先端部を缶内に容易に折り込むことが出来る。
（３）請求項４の発明によれば，蓋板上面に，開口部と開口部前部との間に折り曲げ溝を設けたため，広い領域を持つ開口部に引き上げ力が拡散すること無く，小さく限定された面積をもつ開口部前部は折り曲げ溝を介して引き上げ力が集中し，誰にでもスム−スに，かつ，安全に缶蓋を開口することが出来る。
【発明を実施するための最良の形態】
【００１２】  以下，本発明を実施するための最良の形態を添付図面に基づいて詳しく説明する。
図１乃至図１１に本発明の実施形態を示す。これは，食料缶の缶蓋へ本発明を適応したその一例である。
〈蓋板１２〉
図１及び図４に示すように，缶蓋の内周縁部近くにエンドレス状の切れ目線１０が刻印されている。この切れ目線１０の破断部１０ｄの真上に，タブの中心線Ｌの延長上に形成された（図１参照）タブ先端突出部２５（図３参照  ）が位置するように加締部１４が形成されている。また，缶内より開口部前部１１ｂを引き上げるとき，引き上げ力が開口部前部１１ｂに集中するように（図１及び図１０参照），開口部１１と開口部前部１１ｂとを仕切る折り曲げ用溝１６が形成されている。また，破断部１０ｄが初期切断された後先端部１１ａの残りの切れ目線１０の部分を容易に切断して缶内に折り込むべく，直線状の折り曲げ用の切れ目線１７が形成されている。
〈タブ２〉
図７乃至図１１に示すように，開口部前部１１ａを押圧して蓋板１２から切断して缶本体内に折り込み，開口部１１を蓋板１２の上面から引き上げてフルオ−プンに開口するものである。
図５及び図６にタブ２の構造を示す。タブ２は，図５に示すように，タブ先端突出部２５より後方に続くタブ２の引き起こしを行なうリング状の操作部２１が形成されていると共に，他方の先端部には，開口部先端部１１ａを押圧して初期切断するための先端突出部２５が形成されている。また，図３及び図７に示すように，タブ先端突出部２５は，操作部２１を容易に引き起こすことが出来るように加締部１４から出来るだけ近く（図３参照）に形成されており，また，操作部２１を引き起こしたとき，タブ側基端部２０ｅが蓋板１２から浮き上がらないように，また，先端部１１ａを缶本体内に容易に折り込むことが出来るように，タブ側基端部２０ｅを蓋板側基端部２０ｂよりも後方の位置に形成されている。【００１３】  次に，上記のように構成された食料缶の開口動作について説明する。
図７に示すように，タブ２の操作部２１を軽く引き起こすと同時に先端突出部２５が破断部１０ｄを初期切断し，引き続き操作部２１を垂直にまで引き起こすと（図９参照），開口部前部１１ｂの先端部１１ａは折れ曲げ用切れ目線１７を支点として，開口部先端部１１ａの残りの切れ目線１０を切断して缶本体内に垂直に折り込み，次に，操作部２１のリング部に指を掛け上方向に向け引き上げると（図１０参照），開口部前部１１ｂは広い面積の開口部１１に引き上げ力が拡散することを防止する，仕切り線折り曲げ溝１６を介して容易に折れ曲がり缶内より引き上げられ，引き続きタブ２を引き上げる（図１１参照）ことにより，開口部１１は完全にフルオ−プンに開口される。
【図面の簡単な説明】
【００１４】
【図１】  本発明の実施形態に係わるフルオ−プン缶用の缶蓋を示す平面図であ。
【図２】  図１中タブ取り付け部分の拡大平面図である。
【図３】  図１中２−２線矢視断面図である。
【図４】  本発明の実施形態に係わるフルオ−プン缶の缶蓋を示す平面図である。
【図５】  本発明の実施形態に係わるフルオ−プン缶のタブを示す平面図である。
【図６】  図５中６−６線矢視断面図である。
【図７】  タブを引き起こし，初期切断した状態を示す断面図である。
【図８】  更にタブを垂直に引き起こし，折り曲げ用切れ目線を介して，開口部前端部が缶内に折り込まれた状態を示す断面図である。
【図９】  タブを引き上げ，折り曲げ溝を介して開口部前部を缶内より引き上げた状態を示す断面図である。
【図１０】  引き続きタブを引き上げ，開口部の残りの切れ目線全部を引き裂いている状態を示す断面図である。
【符号の説明】
【００１５】１缶蓋
２タブ
３缶本体
１０切れ目線
１０ｄ切れ目線破断部
１１開口部
１１ａ開口部先端部
１１ｂ開口部前部
１２蓋板
１４タブ加締部
１６仕切り線折り曲げ溝
１７折り曲げ用切れ目線
２０タブ取付片
２０ａ蓋板側固着部
２０ｂ蓋板側基端部
２０ｅタブ側基端部
２１操作部
２２押圧部
２５タブ先端突出部
Ｌ横中心線
【図１】
2013252896.tif 000003
【図２】
2013252896.tif 000004
【図３】
2013252896.tif 000005
【図４】
2013252896.tif 000006
【図５】
2013252896.tif 000007
【図６】
2013252896.tif 000008
【図７】
2013252896.tif 000009
【図８】
2013252896.tif 000010
【図９】
2013252896.tif 000011
【図１０】
2013252896.tif 000012
【図１１】
2013252896.tif 000013
【手続補正書】
【提出日】平成24年8月6日(2012.8.6)
【手続補正１】
【補正対象書類名】明細書
【補正対象項目名】００１４
【補正方法】変更
【補正の内容】
【００１４】
【図１】  本発明の実施形態に係わるフルオ−プン缶用の缶蓋を示す平面図である。
【図２】  図１中タブ取り付け部分の拡大平面図である。
【図３】  図１中２−２線矢視断面図である。
【図４】  本発明の実施形態に係わるフルオ−プン缶の缶蓋を示す平面図である。
【図５】  本発明の実施形態に係わるフルオ−プン缶のタブを示す平面図である。
【図６】  図５中６−６線矢視断面図である。
【図７】  タブを引き起こし，初期切断した状態を示す断面図である。
【図８】  初期切断後，引き続き開口部前部を押圧する状態を示す断面図である。
【図９】  更にタブを垂直に引き起こし，折り曲げ用切れ目線を介して，開口部前部が缶内に折り込まれた状態を示す平面図である。
【図１０】  タブを引き上げ，折り曲げ溝を介して開口部前部を缶内り引き上げた状態を示す断面図である。
【図１１】  引き続きタブを引き上げ，開口部の残りの切れ目線全部を引き裂いている状態を示す断面図である。